(57)【特許請求の範囲】
【請求項１】
一端部と他端部とを有する機器本体と、
座金を有し、前記機器本体の一端部の後縁部に設けられた枢支軸と、
前記機器本体の他端部の後縁部に設けられたボスと、
一端部と他端部とを有し、前記機器本体に対して開閉可能に設けられた機器カバーと、
前記機器カバーの一端部の後縁部に設けられた軸支えと、
前記機器カバーの他端部の後縁部に設けられたボスとを具備し、
前記機器カバーの一端部の後縁部が、この機器カバーに設けた前記軸支えと前記機器本体に設けた前記枢支軸とにより枢支され、前記機器カバーの他端部の後縁部が、この機器カバーに設けた前記ボスと前記機器本体に設けた前記ボスとにより枢支され、前記座金が、前記機器カバーに対して開く向きに力を加えている電子機器であって、
前記機器カバーの一端部の前部に設けられ、前記機器カバーの外部へ突出する掛け止め爪を有する第１の掛け止め部材と、
この第１の掛け止め部材に弾性力を加える第１の掛け止めばねと、
前記機器カバーの他端部の前部に設けられ、前記機器カバーの外部へ突出する掛け止め爪を有する第２の掛け止め部材と、
この第２の掛け止め部材に弾性力を加える第２の掛け止めばねと、
前記機器本体の一端部の前部に設けられ、前記機器カバーを前記機器本体に対して閉じた時に前記第１の掛け止めばねに押された前記第１の掛け止め部材の掛け止め爪が係合する第１の受け部材と、
前記機器本体の他端部の前部に設けられ、前記機器カバーを前記機器本体に対して閉じた時に前記第２の掛け止めばねに押された前記第２の掛け止め部材の掛け止め爪が係合する第２の受け部材とを具備し、
前記第１の掛け止め部材の掛け止め爪は、前記第１の受け部材に掛け止めする掛け止め面を有しているとともに、前記第２の掛け止め部材の掛け止め爪は、前記第２の受け部材に掛け止めする掛け止め面を有しており、
前記第２の掛け止め部材の掛け止め爪の掛け止め面は、閉じた位置にある前記機器カバーに対して開く向きへ力を加える時に、前記第１の掛け止め部材の掛け止め爪の掛け止め面と比較して小さい力で前記第２の受け部材から外れるように、前記第１の掛け止め部材の掛け止め爪の掛け止め面と比較して水平線に対する傾斜角度が大きくなっていることを特徴とする電子機器。
【請求項２】
一端部と他端部とを有する機器本体と、
座金を有し、前記機器本体の一端部の後縁部に設けられた枢支軸と、
前記機器本体の他端部の後縁部に設けられたボスと、
一端部と他端部とを有し、前記機器本体に対して開閉可能に設けられた機器カバーと、
前記機器カバーの一端部の後縁部に設けられた軸支えと、
前記機器カバーの他端部の後縁部に設けられたボスとを具備し、
前記機器カバーの一端部の後縁部が、この機器カバーに設けた前記軸支えと前記機器本体に設けた前記枢支軸とにより枢支され、前記機器カバーの他端部の後縁部が、この機器カバーに設けた前記ボスと前記機器本体に設けた前記ボスとにより枢支され、前記座金が、前記機器カバーに対して開く向きに力を加えている電子機器であって、
前記機器カバーの一端部の前部に設けられ、前記機器カバーの外部へ突出する掛け止め爪を有する第１の掛け止め部材と、
この第１の掛け止め部材に弾性力を加える第１の掛け止めばねと、
前記機器カバーの他端部の前部に設けられ、前記機器カバーの外部へ突出する掛け止め爪を有する第２の掛け止め部材と、
この第２の掛け止め部材に弾性力を加える第２の掛け止めばねと、
前記機器本体の一端部の前部に設けられ、前記機器カバーを前記機器本体に対して閉じた時に前記第１の掛け止めばねに押された前記第１の掛け止め部材の掛け止め爪が係合する第１の受け部材と、
前記機器本体の他端部の前部に設けられ、前記機器カバーを前記機器本体に対して閉じた時に前記第２の掛け止めばねに押された前記第２の掛け止め部材の掛け止め爪が係合する第２の受け部材とを具備し、
前記第２の掛け止め部材を押す前記第２の掛け止めばねのばね力は、前記第１の掛け止め部材を押す前記第１の掛け止めばねのばね力と比較して小さく設定されていることを特徴とする電子機器。
【請求項３】
一端部と他端部とを有する機器本体と、
座金を有し、前記機器本体の一端部の後縁部に設けられた枢支軸と、
前記機器本体の他端部の後縁部に設けられたボスと、
一端部と他端部とを有し、前記機器本体に対して開閉可能に設けられた機器カバーと、
前記機器カバーの一端部の後縁部に設けられた軸支えと、
前記機器カバーの他端部の後縁部に設けられたボスとを具備し、
前記機器カバーの一端部の後縁部が、この機器カバーに設けた前記軸支えと前記機器本体に設けた前記枢支軸とにより枢支され、前記機器カバーの他端部の後縁部が、この機器カバーに設けた前記ボスと前記機器本体に設けた前記ボスとにより枢支され、前記座金が、前記機器カバーに対して開く向きに力を加えている電子機器であって、
前記機器カバーの一端部の前部に設けられ、前記機器カバーの外部へ突出する掛け止め爪を有する第１の掛け止め部材と、
この第１の掛け止め部材に弾性力を加える第１の掛け止めばねと、
前記機器カバーの他端部の前部に設けられ、前記機器カバーの外部へ突出する掛け止め爪を有する第２の掛け止め部材と、
この第２の掛け止め部材に弾性力を加える第２の掛け止めばねと、
前記機器本体の一端部の前部に設けられ、前記機器カバーを前記機器本体に対して閉じた時に前記第１の掛け止めばねに押された前記第１の掛け止め部材の掛け止め爪が係合する受け面を有する第１の受け部材と、
前記機器本体の他端部の前部に設けられ、前記機器カバーを前記機器本体に対して閉じた時に前記第２の掛け止めばねに押された前記第２の掛け止め部材の掛け止め爪が係合する受け面を有する第２の受け部材とを具備し、
前記第２の掛け止め部材の掛け止め爪と係合する前記第２の受け部材は、閉じた位置にある前記機器カバーに対して開く向きへ力を加える時に前記第１の掛け止め部材の掛け止め爪と係合する第１の受け部材と比較して小さな力で前記第２の掛け止め爪が外れるように、その受け面を円弧面としていることを特徴とする電子機器。
【発明の詳細な説明】
【０００１】
【発明の属する技術分野】
本発明は機器本体と、この機器本体に開閉可能に枢支された機器カバーを有する電子機器に関する。
【０００２】
【従来の技術】
携帯型のノート型パソコン（パーソナルコンピュータ）は、キーボードを備えた機器本体に、液晶ディスプレイを備えた機器カバーを開閉可能（回動可能）に枢支して設けたものである。機器カバーは右端部と左端部の両方が機器本体に枢支されるが、携帯型のノート型パソコンが小型であることから実装スペースーの関係上、機器カバーの一方の端部、例えば右端部を枢支軸を用いて支持し、他方の端部、例えば左端部はボスと孔の組合せなどの簡易な構成で支持している。すなわち、機器カバーの枢支部の実装は片持ち方式である。また、機器カバーは機器本体から開いた状態を保持するために、枢支軸にばね座金などの部材を設けて機器カバーに対して開いた位置に保持する力を加えている。
【０００３】
そして、このノート型パソコンでは、機器カバーを機器本体を閉じる位置へ回動すると、機器カバーの右端部に加えられた力によるスプリングバックの作用により、機器カバーが閉じる位置に静止できず閉じる位置から離れた位置で停止する。
【０００４】
そこで、機器カバーが機器本体を閉じた位置にある時に、機器カバーを機器本体に掛け止めして閉じる位置に保持するために、機器カバーおよび機器本体の右端部と左端部に夫々掛け止め手段が設けられている。この掛け止め手段は、機器カバーの端部に往復移動可能に設けられ機器カバーの外部へ突出する掛け止め爪を有する掛け止め部材およびこの掛け止め部材に一方の向き（掛け止め向き）に弾性力を加える掛け止めばねと、機器本体の端部に設けられ機器カバーを機器本体に対して閉じた時に掛け止めばねに押された掛け止め部材の掛け止め爪が係合する受け部材とを有するものである。
【０００５】
すなわち、機器カバーを閉じる位置に回動すると、掛け止め部材の掛け止め爪が機器本体の受け部材に当たって掛け止めばねの力に抗して他の向きに移動した後に、掛け止めばねに押されて再び一方の向きに移動して受け部材と係合する。
【０００６】
機器カバーを開く場合には、例えば左手で機器本体を持ち、右手の指を機器カバーの外面部に接触させて機器カバーに開く向きに力を加える。そうすると、掛け止め部材も機器カバーと一緒に移動して、掛け止め爪が掛け止めばねの力に抗して他方の向き移動して機器本体の受け部材から外れる。
【０００７】
また、機器カバーの両端部の外面部には、指掛かり体（セレーション）を形成して、指が機器カバーにかかるようにして機器カバーの開放を容易にしている。従来は機器カバーの外面から同じ高さで突出する複数個の指掛かり体を機器カバー外面に形成している。
【０００８】
【発明が解決しようとする課題】
機器カバーを開く場合に、両方の手の指で機器カバーの両端部の外面前縁部を開く向きに押すと、機器カバーの右端部は手の力に加わってスプリングバックが作用して掛け止め部材が機器本体の受け部材から容易に外れる。これに対して機器カバーの左端部はスプリングバックが加わらず、機器カバーの右端部に比較して掛け止め部材が機器本体の受け部材から外れにくく外れる動作が遅れる。このため、機器カバーは機器本体から開く場合に右端部と左端部が不均等な状態で動いて機器カバーを開きにくい問題がある。
【００１０】
本発明は、機器カバーを機器本体に掛け止めする手段を改良して閉じる位置にある機器カバーを機器本体から開く操作の操作性を高めた電子機器を提供することを目的する。
【００１２】
【課題を解決するための手段】
請求項１の発明の電子機器は、一端部と他端部とを有する機器本体と、座金を有し、前記機器本体の一端部の後縁部に設けられた枢支軸と、前記機器本体の他端部の後縁部に設けられたボスと、一端部と他端部とを有し、前記機器本体に対して開閉可能に設けられた機器カバーと、前記機器カバーの一端部の後縁部に設けられた軸支えと、前記機器カバーの他端部の後縁部に設けられたボスとを具備し、前記機器カバーの一端部の後縁部が、この機器カバーに設けた前記軸支えと前記機器本体に設けた前記枢支軸とにより枢支され、前記機器カバーの他端部の後縁部が、この機器カバーに設けた前記ボスと前記機器本体に設けた前記ボスとにより枢支され、前記座金が、前記機器カバーに対して開く向きに力を加えている電子機器であって、前記機器カバーの一端部の前部に設けられ、前記機器カバーの外部へ突出する掛け止め爪を有する第１の掛け止め部材と、この第１の掛け止め部材に弾性力を加える第１の掛け止めばねと、前記機器カバーの他端部の前部に設けられ、前記機器カバーの外部へ突出する掛け止め爪を有する第２の掛け止め部材と、この第２の掛け止め部材に弾性力を加える第２の掛け止めばねと、前記機器本体の一端部の前部に設けられ、前記機器カバーを前記機器本体に対して閉じた時に前記第１の掛け止めばねに押された前記第１の掛け止め部材の掛け止め爪が係合する第１の受け部材と、前記機器本体の他端部の前部に設けられ、前記機器カバーを前記機器本体に対して閉じた時に前記第２の掛け止めばねに押された前記第２の掛け止め部材の掛け止め爪が係合する第２の受け部材とを具備し、前記第１の掛け止め部材の掛け止め爪は、前記第１の受け部材に掛け止めする掛け止め面を有しているとともに、前記第２の掛け止め部材の掛け止め爪は、前記第２の受け部材に掛け止めする掛け止め面を有しており、前記第２の掛け止め部材の掛け止め爪の掛け止め面は、閉じた位置にある前記機器カバーに対して開く向きへ力を加える時に、前記第１の掛け止め部材の掛け止め爪の掛け止め面と比較して小さい力で前記第２の受け部材から外れるように、前記第１の掛け止め部材の掛け止め爪の掛け止め面と比較して水平線に対する傾斜角度が大きくなっている。
【００１３】
請求項２の発明の電子機器は、一端部と他端部とを有する機器本体と、座金を有し、前記機器本体の一端部の後縁部に設けられた枢支軸と、前記機器本体の他端部の後縁部に設けられたボスと、一端部と他端部とを有し、前記機器本体に対して開閉可能に設けられた機器カバーと、前記機器カバーの一端部の後縁部に設けられた軸支えと、前記機器カバーの他端部の後縁部に設けられたボスとを具備し、前記機器カバーの一端部の後縁部が、この機器カバーに設けた前記軸支えと前記機器本体に設けた前記枢支軸とにより枢支され、前記機器カバーの他端部の後縁部が、この機器カバーに設けた前記ボスと前記機器本体に設けた前記ボスとにより枢支され、前記座金が、前記機器カバーに対して開く向きに力を加えている電子機器であって、前記機器カバーの一端部の前部に設けられ、前記機器カバーの外部へ突出する掛け止め爪を有する第１の掛け止め部材と、この第１の掛け止め部材に弾性力を加える第１の掛け止めばねと、前記機器カバーの他端部の前部に設けられ、前記機器カバーの外部へ突出する掛け止め爪を有する第２の掛け止め部材と、この第２の掛け止め部材に弾性力を加える第２の掛け止めばねと、前記機器本体の一端部の前部に設けられ、前記機器カバーを前記機器本体に対して閉じた時に前記第１の掛け止めばねに押された前記第１の掛け止め部材の掛け止め爪が係合する第１の受け部材と、前記機器本体の他端部の前部に設けられ、前記機器カバーを前記機器本体に対して閉じた時に前記第２の掛け止めばねに押された前記第２の掛け止め部材の掛け止め爪が係合する第２の受け部材とを具備し、前記第２の掛け止め部材を押す前記第２の掛け止めばねのばね力は、前記第１の掛け止め部材を押す前記第１の掛け止めばねのばね力と比較して小さく設定されている。
【００１４】
請求項３の発明の電子機器は、一端部と他端部とを有する機器本体と、座金を有し、前記機器本体の一端部の後縁部に設けられた枢支軸と、前記機器本体の他端部の後縁部に設けられたボスと、一端部と他端部とを有し、前記機器本体に対して開閉可能に設けられた機器カバーと、前記機器カバーの一端部の後縁部に設けられた軸支えと、前記機器カバーの他端部の後縁部に設けられたボスとを具備し、前記機器カバーの一端部の後縁部が、この機器カバーに設けた前記軸支えと前記機器本体に設けた前記枢支軸とにより枢支され、前記機器カバーの他端部の後縁部が、この機器カバーに設けた前記ボスと前記機器本体に設けた前記ボスとにより枢支され、前記座金が、前記機器カバーに対して開く向きに力を加えている電子機器であって、前記機器カバーの一端部の前部に設けられ、前記機器カバーの外部へ突出する掛け止め爪を有する第１の掛け止め部材と、この第１の掛け止め部材に弾性力を加える第１の掛け止めばねと、前記機器カバーの他端部の前部に設けられ、前記機器カバーの外部へ突出する掛け止め爪を有する第２の掛け止め部材と、この第２の掛け止め部材に弾性力を加える第２の掛け止めばねと、前記機器本体の一端部の前部に設けられ、前記機器カバーを前記機器本体に対して閉じた時に前記第１の掛け止めばねに押された前記第１の掛け止め部材の掛け止め爪が係合する受け面を有する第１の受け部材と、
前記機器本体の他端部の前部に設けられ、前記機器カバーを前記機器本体に対して閉じた時に前記第２の掛け止めばねに押された前記第２の掛け止め部材の掛け止め爪が係合する受け面を有する第２の受け部材とを具備し、前記第２の掛け止め部材の掛け止め爪と係合する前記第２の受け部材は、閉じた位置にある前記機器カバーに対して開く向きへ力を加える時に前記第１の掛け止め部材の掛け止め爪と係合する第１の受け部材と比較して小さな力で前記第２の掛け止め爪が外れるように、その受け面を円弧面としている。
【００１６】
請求項１ないし請求項３の発明によれば、機器カバーを機器本体から開く時に、枢支軸で枢支されていない端部に設けられた掛け止め手段による機器カバーの掛け止めを、枢支軸で枢支された端部に設けられた掛け止め手段による機器カバーの掛け止めと同様に容易に外して、機器カバーを両端部が均等な状態で容易に開くことができる。
【００１９】
【発明の実施の形態】
第１の実施の形態について図１ないし図８を参照して説明する。この実施の形態の電子機器は、携帯型のノート型パソコンを対象にしたものである。図１はこの実施の形態の電子機器において機器カバーを開いた状態を示す斜視図、図２は電子機器において機器カバーを開く状態を示す斜視図、図３は電子機器において機器カバーを開いた状態を示す正面図、図４は電子機器において機器カバーを開いた状態を示す平面図である。図４では機器カバーの内面板を外した状態を示している。
【００２０】
図において１は機器本体、２は機器カバーである、機器本体１は四角いノート形をなすケースで、ベース１１とカバー１２とを組合せて構成されており、カバー１２にはキーボード１３が設けられているとともに内部には図示しないが回路基板などの必要な部品が設けられている。
【００２１】
機器カバー２は機器本体１と同じ大きさの四角いノート形をなすケースで、外面板１４と内面板１５とを組合せて構成されている。内面板１５は後述するように機器本体１を閉じる位置にある時に機器本体１に面するもので、四角いフレーム形をなしている。機器カバー２は内面板１５に囲まれて液晶ディスプレイ１６が設けられている。
【００２２】
機器カバー２は右端部（一端部）２ａと左端部（他端部）２ｂの各後縁部が、機器本体１の後縁部に枢支されて水平な軸線を中心として回動可能に設けられている。すなわち、機器カバー２は倒伏して機器本体１のキーボード１３を設けた内面部を覆って閉じる位置と、起立して機器本体１を開く位置との間を回動するように設けられている。機器カバー２は右端部（一端部）２ａの後縁部は、図４に示すように機器カバー２に設けた軸支え１８と機器本体１に設けた軸支え１９に水平に設けた枢支軸１７により枢支されている。枢支軸１７にはばね座金２０が設けられ、このばね座金２０により機器カバー２に対して開く向きに力を加え且つ開いた位置に保持する力を加えるようになっている。機器カバー２の左端部は例えば機器カバー２に設けたボス２１と機器本体１に設けたボス２２との嵌合に枢支されている。すなわち、機器カバー２の左端部は簡易な構成で枢支され、機器カバー２の枢支部の実装は右端部による片持ちとなっている。
【００２３】
機器カバー２の右端部２ａの前部とこれに対応する機器本体１の右端部の前部に亘って第１の掛け止め手段３１が設けられ、機器カバー２の左端部２ｂの前部とこれに対応する機器本体１の左端部の前部に亘って第２の掛け止め手段３２が設けられている。これら両方の掛け止め手段３１、３２は、閉じる位置にある機器カバー２を機器本体１に対して掛け止めものである。
【００２４】
ノート型パソコンの右端部に位置する第１の掛け止め手段３１について図５および図６を参照して説明する。図５はノート型パソコンにおける第１の掛け止め手段を示す図３Ｚ−Ｚ線に沿う断面図、図６はノート型パソコンにおける第１の掛け止め部材を示す図である。図６はハッチングを省略している。
【００２５】
第１の掛け止め手段３１は、掛け止め爪４２を有する掛け止め部材（第１の掛け止め部材）４１と、掛け止めばね（第１の掛け止めばね）４３および受け部材（第１の受け部材）４８を有している。
【００２６】
掛け止め部材４１は、機器カバー２の右端部の前部において外面板１４と内面板１５とで形成される空間部に配置されている。この掛け止め部材４１は一端部４１ａ、他端部４１ｂおよびこれら各端部に挟まれた中間部４１ｃを有している。掛け止め部材４１は例えば外面板１４に機器カバー前後方向に沿って形成された直線をなす案内溝４４に嵌合されて機器カバー前後方向に沿って往復直線移動可能に支持されている。案内溝４４の後端および前端にはストッパ４５ａとストッパ４５ｂが夫々形成されて掛け止め部材４１の移動を規定している。
【００２７】
掛け止め部材４１の中間部４１ｃに圧縮コイルばねを用いた掛け止めばね４３が掛け止め部材４１の移動方向（機器カバー前後方向）に沿って配置され、この掛け止めばね４３は外面板１４に形成されたばね受け４６と一端部４１ａとで支持されて掛け止め部材４１に対して機器カバー後部向き（掛け止め向き、図示右向き）Ａに向けたばね力を作用している。これにより掛け止め部材４１は掛け止めばね４３により機器カバー後部向き（掛け止め向き）へ向けて押されるとともにストッパ４５ａに衝突して移動を規定されている。
【００２８】
掛け止め部材４１は中間部４１ｃから各端部４１ａ、４１ｂとは反対向き（下向き）に（掛け止め部材移動方向に対して）直角に延びる掛け止め爪４２が一体に形成され、この掛け止め爪４２は内面板１５に機器カバー前後方向に沿って形成された長孔４７を通して機器カバー２の外側（図示下側）へ突出している。この掛け止め爪４２は、機器ケース後部側縁部（図示右側縁部）において内面板１５に近い部分（図示上部）には、上から下にかけて機器ケース前部から後部に向けて傾斜する掛け止め面４２ａが形成されている。この掛け止め面４２ａは、掛け止め爪４２が後述する機器本体１に設けた受け部材４８に掛け止めするものである。
【００２９】
掛け止め爪４２は、機器ケース後部側縁部（図示右側縁部）において内面板１５から離れた部分（図示下部）には、上から下にかけて機器ケース後部から前部に向けて傾斜する案内面４２ｂが形成されている。この案内面４２ｂは、掛け止め爪４２が受け部材４８に掛け止めする際に掛け止め爪４２を案内をするものである。
【００３０】
受け部材４８は機器カバー２に設けられた掛け止め部材４１に対応して機器本体１に設けられている。例えば、機器本体１のカバー１２の右端部の前部において受け部材４８が一体に形成されている。この受け部材４８は、機器本体１の前後方向に沿った長孔４９を有する筒体をなすもので、筒体の周壁は機器本体１の厚さ方向に沿って内部へ向けて延びるものである。受け部材４８の長孔４９は掛け止め部材４１の掛け止め爪４２が移動可能に挿入されるもので、筒体周壁は掛け止め爪４２の各面４２ａ、４２ｂが接触する。すなわち、筒体周壁の機器本体後部側端部（図示右側端部）において外縁部（図示上縁部）は掛け止め爪４２の案内面４２ｂが接触する案内面４８ａであり、内縁部（図示下縁部）は掛け止め爪４２の掛け止め面４２ａが接触する受け面４８ｂとなる。この案内面４８ａは垂直な周面と水平な端面とが直角に交差するものである。この受け面４８ａは、垂直な周面と水平な端面とが直角に交差するものである。
【００３１】
このノート型パソコンの左端部に位置する第２の掛け止め手段３２について図７および図８を参照して説明する。図７はノート型パソコンにおける第２の掛け止め手段３２を示す図３Ｙ−Ｙ線に沿う断面図、図８はノート型パソコンにおける第２の掛け止め部材を示す図である。図６はハッチングを省略している。
【００３２】
第２の掛け止め手段３２は、掛け止め爪５２を有する掛け止め部材（第２の掛け止め部材）５１と、掛け止めばね（第２の掛け止めばね）５３および受け部材（第２の受け部材）５８を有している。
【００３３】
掛け止め部材５１は、機器カバー２の右端部の前部において外面板１４と内面板１５とで形成される空間部に配置されている。この掛け止め部材５１は一端部５１ａ、他端部５１ｂおよびこれら各端部に挟まれた中間部５１ｃを有している。掛け止め部材５１は例えば外面板１４に機器カバー前後方向に沿って形成された直線をなす案内溝５４に嵌合されて機器カバー前後方向に沿って往復直線移動可能に支持されている。案内溝５４の後端および前端にはストッパ５５ａとストッパ５５ｂが夫々形成されて掛け止め部材５１の移動を規定している。
【００３４】
掛け止め部材５１の中間部５１ｃには圧縮コイルばねを用いた掛け止めばね５３が掛け止め部材５１の移動方向（機器カバー前後方向）に沿って配置され、この掛け止めばね５３は外面板１４に形成されたばね受け５６と一端部５１ａとで支持されて掛け止め部材５１に対して機器カバー後部向き（掛け止め向き、図示右向き）Ａに向けたばね力を作用している。これにより掛け止め部材４１は掛け止めばね５３により機器カバー後部向き（掛け止め向き）へ向けて押されるとともにストッパ５５ａに衝突して移動を規定されている。
【００３５】
掛け止め部材５１は中間部５１ｃから各端部５１ａ、５１ｂとは反対向き（下向き）に（掛け止め部材移動方向に対して）直角に延びる掛け止め爪５２が一体に形成され、この掛け止め爪５２は内面板１５に機器カバー前後方向に沿って形成された長孔５７を通して機器カバー２の外側（図示下側）へ突出している。この掛け止め爪５２は、機器ケース後部側縁部（図示右側縁部）において内面板１５に近い部分（図示上部）には、上から下にかけて機器ケース前部から後部に向けて傾斜する掛け止め面５２ａが形成されている。この掛け止め面５２ａは、掛け止め爪５２が後述する機器本体１に設けた受け部材５８に掛け止めするものである。
【００３６】
掛け止め爪５２は、機器ケース後部側縁部（図示右側縁部）において内面板１５から離れた部分（図示下部）には、上から下にかけて機器ケース後部から前部に向けて傾斜する案内面５２ｂが形成されている。この案内面５２ｂは、掛け止め爪５２が受け部材５８に掛け止めする際に掛け止め爪５２を案内するものである。
【００３７】
受け部材５８は機器カバー２に設けられた掛け止め部材５１に対応して機器本体１に設けられている。例えば、機器本体１のカバー１２の右端部の前部において受け部材５８が一体に形成されている。この受け部材５８は、機器本体１の前後方向に沿った長孔５９を有する筒体をなすもので、筒体の周壁は機器本体１の厚さ方向に沿って内部へ向けて延びるものである。受け部材５８の長孔５９は掛け止め部材５１の掛け止め爪５２が移動可能に挿入されるもので、筒体周壁は掛け止め爪５２の各面５２ａ、５２ｂが接触する。すなわち、筒体周壁の機器本体後部側端部（図示右端部）において外縁部（図示上縁部）は掛け止め爪５２の案内面５２ｂが接触する案内面５８ａであり、内部縁部は掛け止め爪５２の掛け止め面５２ａが接触する受け面５８ｂとなる。この案内面５８ａは垂直な周面と水平な端面とが直角に交差するものである。この受け面５８ａは、垂直な周面と水平な端面とが直角に交差するものである。
【００３８】
ここで、掛け止め爪５２において受け部材５８に係合する掛け止め面５２ａは、閉じた位置にある機器カバー２に対して開く向きへ力を加える時に、掛け止め手段３１における掛け止め部材４１の掛け止め爪４２の掛け止め面４２ａと比較して、小さい力で受け部材５８の受け面５８ｂから外れる形状をなしている。具体的には、掛け止め爪５２の掛け止め面５２ａは掛け止め爪４２の掛け止め面４２ａに比較して水平線に対する傾斜角度が大きくなっている。
【００３９】
また、図１および図２に示すように機器カバー２の外面板１４において前縁部の右端部および左端部には、夫々複数個、例えば２個の指掛かり体６１、６２が形成されている。すなわち、これら指掛かり体６１、６２は機器カバー両端方向に沿う突条をなすもので、図１２にも示すように機器カバー２の厚さ方向（機器カバー２の開閉方向）に間隔を存して形成されている。図１２に示すようにこれら指掛かり体６１、６２は外面板１４の外面から突出しており、外側（図示上側、機器カバー開き向き側）に位置する指掛かり体６１の外面板１４からの突出高さは、内側（図示下側、機器カバー閉じる向き側）に位置する指掛かり体６２の外面板１４からの突出高さより高くなっている。すなわち、各指掛かり体６１、６２の突出端を結ぶ直線Ｒが、機器カバー２を開く向きにすすむに従い機器カバー２の外面から離れるように適宜な角度θをもって傾斜している。図１２は機器カバーに形成した指掛かり体を機器カバーの端部から見た図である。
【００４０】
このように構成された携帯型ノート型パソコンにおける各掛け止め手段の３１、３２の動作について説明する。
【００４１】
機器カバー２が機器本体１の上側で倒伏して機器本体１を閉じる位置にある時には、図５および図７に示すように各掛け止め手段３１、３２における掛け止め部材４１、５１の掛け止め爪４２、５２が、機器本体１に設けた受け部材４８、５８の長孔４９、５９に挿入されている。各掛け止め爪４２、５２は掛け止めばね４６、５６により機器カバー後部へ向けて押されて受け部材４８、５８の周壁における機器本体後部側の部分に当接し、各掛け止め爪４２、５２の掛け止め面４２ａ、５２ａが受け部材４８、５８の周壁における受け面４８ｂ、５８ｂと係合している。これにより機器カバー２はその両方の端部２ａ、２ｂが、掛け止め手段３１、３２の掛け止め部材４１、５１によって機器本体１に掛け止めされて閉じる位置に保持される。
【００４２】
閉じる位置にある機器カバー２を開く場合には、使用者が例えば左手で機器本体１を持ち、右の手の指を機器カバー２における外面板１４の前縁部の右端部に形成された指掛かり体６１、６２に掛けて、機器カバー２を開く向き（図示上側）へ向けて力を加えて押上げる。これにより機器カバー２が後縁部の枢支部を中心として開く向きへ回動しようとする。
【００４３】
機器カバー２の開く向きへの動きに応じて機器カバー２の右端部では掛け止め手段３１の掛け止め部材４１が同じ向きに移動しようとする。そうすると掛け止め部材４１の掛け止め爪４２の傾斜した掛け止め面４２ａが機器本体１の受け部材４８の受け面４８ｂに接して移動する。掛け止め部材４１は掛け止めばね４６のばね力に抗して機器カバー前部への向きＢに移動して、掛け止め面４２ａが受け部材４８の受け面４８ｂから外れる。これにより掛け止め部材４１が機器カバー２を機器本体１に掛け止めしている状態が解除され、機器カバー２の右端部２ａが開く向きに回動することが可能となる。
【００４４】
なお、機器カバー２の右端部２ａは枢支軸１７により枢支されて、ばね座金２０により上向きの力が加えられている。このため、機器カバー２の機器本体１との掛け止めが解除されると、ばね座金２０によるスプリングバックが機器カバー２に作用する。
【００４５】
機器カバー２の右端部に開く向きへの力が加えられると、機器カバー２２の左端部も開く向きへ移動しようとする。この機器カバー２の開く向きへの動きに応じて機器カバー２の左端部では掛け止め手段３２の掛け止め部材４１が同じ向きに移動しようとする。掛け止め部材５１の掛け止め爪５２の傾斜した掛け止め面５２ａが機器本体１の受け部材５８の受け面５８ｂに接して移動する。掛け止め部材５１は掛け止めばね５６のばね力に抗して機器カバー前部への向きＢに移動して、掛け止め面５２ａが受け部材５８の受け面５８ｂから外れる。
【００４６】
この場合、掛け止め爪５２における受け部材５８の係合する掛け止め面５２ａは、掛け止め部材４１の掛け止め爪４２の掛け止め面４２ａに比較して、水平線に対して傾斜角度が大きくなっている。このため、掛け止め爪５２における受け部材５８の係合する掛け止め面５２ａは、閉じた位置にある機器カバー２に対して開く向きへ力を加える時に、掛け止め手段３１におけるの掛け止め爪４２の掛け止め面４２ａと比較して小さい力で受け部材５８の受け面５８ｂから外れる。これにより掛け止め部材５１が機器カバー２を機器本体１に掛け止めしている状態が解除され、機器カバー２の左端部２ｂが開く向きに回動することが可能となる。
【００４７】
このように閉じる位置にある機器カバー２を機器本体１から開く時に、枢支軸１７で枢支されていない左端部２ｂに設けられた掛け止め部材５１による機器カバー２の掛け止めを、枢支軸で枢支された端部に設けられた掛け止め部材４１による機器カバーの掛け止めと同様に容易に外して、機器カバーを両端部が均等な状態で開くことができて、機器カバーを開く操作の操作性が向上する。
【００４８】
すなわち、掛け止め手段３１は機器カバー２が機器本体１を閉じた位置にある時に機器カバー２の一方の端部を保持する第１の掛け止め手段である。掛け止め手段３２は機器カバー２が機器本体１を閉じた位置にある時に機器カバー２の他方の端部を保持するとともに、閉じた位置にある機器カバー２に対して開く向きへ力を加える時に機器カバー２の他方の端部を機器カバー２の一方の端部と均等な状態で開く第２の掛け止め手段である。このため、閉じる位置にある機器カバー２を機器本体１から開く時に、枢支軸で枢支されていない端部に設けられた第２の掛け止め手段３２による機器カバー２の掛け止めを、枢支軸で枢支された端部に設けられた掛け止め手段３１による機器カバー２の掛け止めと同様に容易に外して、機器カバー２を両端部が均等な状態にしてねじれ力が生じることを防止して開くことができる。
【００４９】
また、各指掛かり体６１、６２の突出端を結ぶ直線Ｒが、機器カバー２を開く向きにすすむに従い機器カバー２の外面から離れるように適宜な角度θをもって傾斜して外側に位置するように指掛かり体６１、６２の突出高さが設定されている。このため、指掛かり体６１、６２に指を掛けて機器カバー２を開く場合に、指の力が効果的に機器カバー２を開ける向きに作用させて機器カバーを容易に開くことができる。
【００５０】
第２の実施の形態について図９を参照して説明する。図９は図７と同様にノート型パソコンにおける第２の掛け止め手段３２を示す断面図で、図７と同じ部分は同じ符号を付して示している。
【００５１】
この実施の形態では、第２の掛け止め手段３２において掛け止め部材５１を押す掛け止めばね５３のばね力を、第１の掛け止め手段３１において掛け止め部材４１を押す掛け止めばね４３のばね力に比較して小さく設定している。これにより、閉じる位置にある機器カバー２を機器本体１から開く時に、枢支軸１７で枢支されていない左端部２ｂに設けられた掛け止め部材５１による機器カバー２の掛け止めを、枢支軸で枢支された端部に設けられた掛け止め部材４１による機器カバー２の掛け止めと同様に容易に外して機器カバー２を両端部が均等な状態で開くことができる。
【００５２】
なお、掛け止め部材５１の掛け止め爪５２における掛け止め面５２ａは、掛け止め手段３１の掛け止め爪４２における掛け止め面４２ａと同じ傾斜角度に設定している。ただし、掛け止め部材５１の掛け止め爪５２における掛け止め面５２ａを、第１の実施の形態と同じように受け部材４８から容易に外れる形状としても良い。
【００５３】
第３の実施の形態について図１０および図１１を参照して説明する。図１０は図７と同様にノート型パソコンにおける第２の掛け止め手段３２を示す断面図で、図７と同じ部分は同じ符号を付している。図１１は図８と同様にノート型パソコンにおける第１の掛け止め部材を示す図である。
【００５４】
この実施の形態では、第２の掛け止め手段３２において受け部材５８における掛け止め部材５１の掛け止め爪５２と係合する受け面５８ｂは、閉じた位置にある機器カバー２に対して開く向きへ力を加える時に、第１の掛け止め手段３１において掛け止め部材４１の掛け止め爪４２と係合する受け部材４８の受け面４８ｂと比較して、小さい力で掛け止め爪５２が外れる形状をなしている。例えば、受け部材５８に受け面５８ｂを円弧面としている。
【００５５】
これにより、機器カバー２を機器本体１から開く時に、枢支軸１７で枢支されていない左端部２ｂに設けられた掛け止め部材５１による機器カバー２の掛け止めを、枢支軸で枢支された端部に設けられた掛け止め部材４１による機器カバー２の掛け止めと同様に容易に外して、機器カバー２を両端部が均等な状態で開くことができる。
【００５６】
なお、掛け止め部材５１の掛け止め爪５２における掛け止め面５２ａは、掛け止め手段３１の掛け止め爪４２における掛け止め面４２ａと同じ傾斜角度に設定している。ただし、掛け止め部材５１の掛け止め爪５２における掛け止め面５２ａを、一方の実施の形態と同じように受け部材４８から容易に外れる形状としても良い。
【００５７】
なお、開いた位置にある機器カバー２を閉じる位置に回動して各掛け止め部材３１、３２により機器本体１に掛け止めする場合には、各掛け止め部材４１、５２が機器カバー２を開く場合の動作とは逆の動作を行う。この場合、各掛け止め部材４１、５２の掛け止め爪４２、５２の案内面４２ｂ、５２ｂが受け部材４８、５８の案内面４８ａ、５８ａと接触して各掛け止め部材４１、４２を案内して移動させる。
【００５８】
なお、本発明は前述した実施の形態に限定されず、種々変形して実施することができる。
【００５９】
【発明の効果】
請求項１ないし請求項３の発明の電子機器によれば、閉じる位置にある機器カバーを機器本体から開く時に、枢支軸で枢支されていない端部に設けられた掛け止め部材による機器カバーの掛け止めを、枢支軸で枢支された端部に設けられた掛け止め手段による機器カバーの掛け止めと同様に容易に外して、機器カバーを両端部が均等な状態で開くことができて、機器カバーを開く操作の操作性が向上する。
【図面の簡単な説明】
【図１】本発明の第１の実施の形態の電子機器において機器カバーを開いた状態を示す斜視図。
【図２】同実施の形態の電子機器において機器カバーを開く状態を示す斜視図。
【図３】同実施の形態の電子機器において機器カバーを開いた状態を示す正面図。
【図４】同実施の形態の電子機器において機器カバーを開いた状態を示す平面図。
【図５】同実施の形態の電子機器における第１の掛け止め手段を示す断面図。
【図６】同実施の形態の電子機器における第１の掛け止め部材を示す図。
【図７】同実施の形態の電子機器における第２の掛け止め手段を示す断面図。
【図８】同実施の形態の電子機器における第２の掛け止め部材を拡大して示す図。
【図９】第２の実施の形態の電子機器における第２の掛け止め手段を示す断面図。
【図１０】第３の実施の形態の電子機器における第２の掛け止め手段を示す断面図。
【図１１】同実施の形態の電子機器における第２の掛け止め部材および受け部材を拡大して示す図。
【図１２】本発明の電子機器において機器カバーに形成した指掛かり体を機器カバーの端部側から見た図。
【符号の説明】
１…機器本体
２…機器カバー
１１…ベース
１２…カバー
１３…キーボード
１４…外面板
１５…内面板
１６…液晶ディスプレイ
１７…枢支軸
２０…ばね座金
３１…第１の掛け止め手段
３２…第２の掛け止め手段
４１…掛け止め部材
４２…掛け止め爪
４３…掛け止めばね
４４…案内溝
４５ａ…ストッパ
４５ｂ…ストッパ
４８…受け部材
４８ａ…受け面
４９…長孔
５１…掛け止め部材
５２…掛け止め爪
５３…掛け止めばね
５４…案内溝
５５ａ…ストッパ
５５ｂ…ストッパ
５８…受け部材
５８ａ…受け面
５９…長孔
６１…指掛け部材
２５…指掛け部材
【図１】
0003617968.tif 000002
【図２】
0003617968.tif 000003
【図３】
0003617968.tif 000004
【図４】
0003617968.tif 000005
【図５】
0003617968.tif 000006
【図６】
0003617968.tif 000007
【図７】
0003617968.tif 000008
【図８】
0003617968.tif 000009
【図９】
0003617968.tif 000010
【図１０】
0003617968.tif 000011
【図１１】
0003617968.tif 000012
【図１２】
0003617968.tif 000013